(57)【特許請求の範囲】
【請求項１】
各々互いに発光色の異なる３種類の自己発光素子を含み略マトリクス状に配置される複数のカラー画素部と、前記複数のカラー画素部にそれぞれ割り当てられる複数の電流制御部とを備えた画像表示装置であって、各自己発光素子が略１：１の縦横比を有し、各カラー画素部に含まれる３種類の自己発光素子および対応電流制御部がこのカラー画素部の中心を取り囲む４象限のうちのいずれかに配置され、複数の信号線が各カラー画素部に含まれる自己発光素子の種類数毎に束ねて配置されることを特徴とする画像表示装置。
【請求項２】
各電流制御部は対応カラー画素部に含まれる前記３種類の自己発光素子のいずれかと重なって同一象限に配置されることを特徴とする請求項１に記載の画像表示装置。
【請求項３】
各電流制御部は、対応カラー画素部に含まれる前記３種類の自己発光素子と一対の電源線間において直列にそれぞれ接続される複数の電流制御回路を含むことを特徴とする請求項１に記載の画像表示装置。
【請求項４】
各自己発光素子は有機エレクトロスミネッセンス素子であることを特徴とする請求項１に記載の画像表示装置。
【請求項５】
各電流制御部はポリシリコン半導体素子から構成されることを特徴とする請求項１に記載の画像表示装置。
【請求項６】
各自己発光素子は一定面積で略正方形に形成される１個以上の発光層を含むことを特徴とする請求項１に記載の画像表示装置。
【発明の詳細な説明】
【０００１】
【発明の属する技術分野】
本発明は複数の表示画素の各々が有機ＥＬ（エレクトロルミネッセンス）素子のような自己発光素子を含む画像表示装置に関し、特に発光色の異なる複数種の自己発光素子がカラー画像を表示するために組み合わされる画像表示装置に関する。
【０００２】
【従来の技術】
有機ＥＬ表示装置は、一般にマトリクス状に配置される複数の有機ＥＬ素子をそれぞれ表示画素として表示画面に画像を表示する。これら有機ＥＬ素子は供給電流量に応じた輝度で自己発光する能動素子であり、これら有機ＥＬ素子の行に沿って形成される複数の走査線およびこれら有機ＥＬ素子の列に沿って形成される複数の信号線の交差位置近傍に配置される電流制御回路によりそれぞれ制御される。各電流制御回路は対応走査線を介して駆動されたときに信号線からの表示信号を取り込む画素スイッチ、画素スイッチからの表示信号をゲート電位として有機ＥＬ素子に流れる電流および輝度を制御するために一対の電源線間において有機ＥＬ素子と直列に接続される駆動トランジスタ、および画素スイッチが非導通である状態で駆動トランジスタのゲート電位を保持する容量素子等を含む。画素スイッチは例えば薄膜トランジスタにより構成される。
【０００３】
典型的な有機ＥＬ素子はアノード電極およびカソード電極間に有機積層膜を挟持した構造を有する。この有機積層膜は、例えば赤、緑、または青の蛍光性有機化合物を含む薄膜である発光層、この発光層に正極からの正孔を注入する正孔輸送層、およびこの発光層にカソード電極からの電子を注入する電子輸送層などからなる。直流電圧が有機ＥＬ素子のアノード電極およびカソード電極間に印加されると、発光層は正孔輸送層および電子輸送層を介して注入される電子および正孔の再結合により励起子を生成し、この励起子の失活時に生じる光放出により発光する。発光層からの光はアノード電極およびカソード電極の一方を介して外部に取り出される。この光が例えばアノード電極を介して取り出される場合には、アノード電極がＩＴＯ等からなる光透過性電極として形成され、カソード電極がバリウム等の低仕事関数の金属からなる光反射性電極として形成される。この構成により、有機ＥＬ素子は１０Ｖ以下の印加電圧で１００〜１０００００ｃｄ／ｍ２程度の輝度を得ることができる。
【０００４】
ところで、上述の有機ＥＬ表示装置は、例えば行方向において隣接する表示画素を３個１組でカラー画素部とし、各組の表示画素をそれぞれ赤（Ｒ），緑（Ｇ），青（Ｂ）という３原色に設定することによりカラー画像を表示することが可能である。これら３原色は例えば発光層の有機材料を互いに異ならせて３個の有機ＥＬ素子をそれぞれ赤，緑，青で発光させる方法、あるいは発光層の有機材料を共通にして３個の有機ＥＬ素子をそれぞれ白色発光させこれら白色光を赤，緑，青のカラーフィルタを透過させる方法で得ることができる。カラーフィルタを利用する場合には、ここで生じる光量の減衰を考慮してより大きな発光エネルギーが必要となる。従って、これら有機ＥＬ素子を赤，緑，青で発光させる方法が一般に用いられている。
【０００５】
【発明が解決しようとする課題】
有機ＥＬ表示装置の製造では、有機積層膜を形成するためにフォトエッチングプロセスを利用することができないため、真空蒸着法あるいはインクジェットにより有機材料液滴を射出するインクジェット法を利用する必要がある。ちなみに、真空蒸着法は低分子系有機材料で有機積層膜を成膜する場合に用いられ、インクジェット法は有機積層膜を高分子系有機材料で成膜する場合に用いられる。
【０００６】
各カラー画素部は赤、緑、青用の有機ＥＬ素子のためにストライプ状の領域を確保し全体としてほぼ正方形にすることが一般的である。しかしながら、インクジェット法には、発光層の形状が射出した液滴の広がりにくさからほぼ１対１の縦横比に限られるという問題があった。この結果、図８に示すようにストライプ状領域の長手方向において有機ＥＬ素子の両側に無駄なスペースができてしまい、これが十分な発光面積を得られない原因となっている。図９のように１色の表示画素に複数の発光層を持つ有機ＥＬ素子を設けても、これら発光層相互を隔壁で区切るためのマージンを残す必要がある上、液滴がほぼ円形に広がることから隔壁で発光層用に規定された正方形領域のコーナ付近に有機材料のボイドを残すことになり、これも領域の利用効率を低下させる原因となっている。ストライプ状領域に対する発光面積の比率が低い場合には、表示画像がざらついて見えるという問題がある。また、有機ＥＬ素子の発光層に流れる電流密度は発光面積が小さいほど高くなり、有機ＥＬ素子の寿命を短くしてしまう結果になる。
【０００７】
本発明は上述のような問題点を解消するためになされたもので、インクジェット法で製造される場合でも大きな発光面積を得ることが可能な画像表示装置を提供することを目的とする。
【０００８】
【課題を解決するための手段】
本発明によれば、各々互いに発光色の異なる３種類の自己発光素子を含み略マトリクス状に配置される複数のカラー画素部と、複数のカラー画素部にそれぞれ割り当てられる複数の電流制御部とを備えた画像表示装置であって、各自己発光素子が略１：１の縦横比を有し、各カラー画素部に含まれる３種類の自己発光素子および対応電流制御部がこのカラー画素部の中心を取り囲む４象限のうちのいずれかに配置され、複数の信号線が各カラー画素部に含まれる自己発光素子の種類数毎に束ねて配置される画像表示装置が提供される。
【０００９】
この画像表示装置では、例えば赤，緑，青で発光する３種類の自己発光素子がこれら自己発光素子を含むカラー画素部に割り当てられる領域の中心を取り囲むようにを配置される。これにより、走査線および信号線により区画した正方形領域を各カラー画素部に割り当てるような場合でも、各自己発光素子の形状を１：１の縦横比となる正方形にすることができる。すなわち、従来例のようにカラー画素部用の正方形領域を行方向に３等分したストライプ状の領域にインクジェット法でこれら赤，緑，青自己発光素子をそれぞれ形成したときに列方向において自己発光素子の両側に残るような無駄なスペースを無くすことができる。さらに、電流制御部を発光色に対応して分散配置する必要もなくなるため、配線や素子構造を共通化して自己発光素子の発光面積を向上させることが可能である。また、発光面積の低下に伴う画像品質の劣化および素子寿命の劣化を防止することもできる。
【００１０】
【発明の実施の形態】
以下、本発明の第１実施形態に係る有機ＥＬ表示装置について添付図面を参照して説明する。この有機ＥＬ表示装置は下面側から外部に光を取り出す下面発光型の有機ＥＬパネルである。
【００１１】
図１は有機ＥＬ表示装置の回路構成を示し、図２は図１に示すカラー画素部周辺の平面構造を示す。この有機ＥＬ表示装置はカラー画像を表示するために有機ＥＬパネルの表示領域ＤＳにマトリクス状に配置される複数のカラー画素部ＰＸＵ、複数のカラー画素部ＰＸＵの行に沿った複数の走査線Ｙ（Ｙ１〜Ｙｍ）、複数の表示画素ＰＸの列に沿った複数の信号線Ｘ（Ｘ１〜Ｘ3ｎ）、並びにこれら表示領域ＤＳの外側に配置される走査線Ｙ１〜Ｙｍを駆動する走査線駆動回路１、および信号線Ｘ１〜Ｘ3ｎを駆動する信号線駆動回路２を備える。走査線駆動回路１および信号線駆動回路２は表示領域ＤＳの外側に配置される。
【００１２】
各カラー画素部ＰＸＵは例えば赤（Ｒ），緑（Ｇ），青（Ｂ）のように互いに異なる発光色で自己発光する３種類の有機ＥＬ素子OLEDによりそれぞれ構成される３個の表示画素ＰＸを含む。３種類の有機ＥＬ素子OLEDは、これら有機ＥＬ素子OLEDにそれぞれ流れる電流を制御する電流制御部として用いられる３個の電流制御回路３にそれぞれ接続される。信号線Ｘ１〜Ｘ3ｎは図１に示すように複数のカラー画素部ＰＸＵをｎ列に区分するように３本１組として束ねた形式で配置され、電流制御回路３は図２に示すように３種類の有機ＥＬ素子OLEDに平面的に重ならないようにして各々対応走査線Ｙおよび対応信号線Ｘの交差位置近傍に配置される。
【００１３】
各電流制御回路３は、各画素を選択する画素スイッチ、画素スイッチを介して供給される表示信号に基づき対応する電流を有機ＥＬ素子OLEDに供給する駆動素子、画素スイッチを介して駆動素子に供給される表示信号を所定期間保持する容量素子を備えて構成される。ここでは画素スイッチはＮチャネル型薄膜トランジスタN11で構成され、駆動素子はＰチャネル型薄膜トランジスタP11により構成される。一対の電源線Ｖdd，Ｖss間において対応有機ＥＬ素子OLEDと直列に接続されるＰチャネル型薄膜トランジスタＰ11、対応信号線Ｘおよび薄膜トランジスタＰ11のゲート間に接続され対応走査線Ｙを介して駆動されるＮチャネル型薄膜トランジスタＮ11、および電源線Ｖddおよび薄膜トランジスタＰ11のゲート間に接続される容量素子Ｃ11を含む。容量素子Ｃ11は薄膜トランジスタＮ11が非導通状態であるときに薄膜トランジスタＰ11のゲート電位を保持するために用いられる。
【００１４】
図２に示すように、赤用の有機ＥＬ素子OLED（Ｒ），緑用の有機ＥＬ素子OLED（Ｇ），および青用の有機ＥＬ素子OLED（Ｂ）複数の信号線Ｘおよび走査線Ｙによって規定される正方形のカラー画素部ＰＸＵ用領域の中心を取り囲む４象限のうちの３つに配置される。すなわち、有機ＥＬ素子OLED（Ｒ）およびOLED（Ｇ）は走査線Ｙに平行な行方向において並ぶように第１および第２象限を占有し、有機ＥＬ素子OLED（Ｂ）は信号線Ｘi，Ｘi+1，Ｘi+2に平行な列方向において有機ＥＬ素子OLED（Ｇ）と並ぶように第３象限を占有する。電流制御部は上述したカラー画素部ＰＸＵ用領域の中心を取り囲む４象限のうちの残り１つである第４象限を占有する。
【００１５】
このように１カラー画素部ＰＸＵを構成する有機ＥＬ素子OLEDのうち少なくとも１つの有機ＥＬ素子の発光中心が、他の有機ＥＬ素子の発光中心を結ぶ線上にはなく、且つこの他の有機ＥＬ素子の発光中心を結ぶ線と直交する線上に発光中心がくるよう配置するため、つまり１カラー画素部ＰＸＵを構成する有機ＥＬ素子OLEDの発光中心のそれぞれが、走査線方向の同一直線上に配置されない構造となっている。
【００１６】
このような配置とするため、縦横比がほぼ１：１となるような有機ＥＬ素子であっても、十分な発光面積を確保することが可能となる。
【００１７】
また、各色に対応する電流制御部を１カラー画素部毎に集中して配置するため、配線などの共通化が出来るため、回路面積を削減することが可能となる。
【００１８】
図３はカラー画素部ＰＸＵに含まれる各表示画素ＰＸの断面構造を示す。有機ＥＬパネルは、光透過性のガラス基板１０上に、薄膜トランジスタＰ11,Ｎ11および有機ＥＬ素子OLEDを順に積層した構造を持つ。ガラス基板１０は例えば合成樹脂のような絶縁材に置き換えてもよい。薄膜トランジスタＮ11およびＰ11の各々はゲート電極Ｇを例えばポリシリコン（Poly-Silicon）薄膜で構成される半導体能動層を覆うゲート絶縁膜上に設けたトップゲート型である。有機ＥＬ素子OLEDはＩＴＯ（Indium Tin Oxide）等の透明電極材料から成るアノード電極ＡＤ、バリウム・アルミ合金から成るカソード電極ＣＤ間に、アノードバッファ層ＡＢ、および発光層ＥＭを積層した構造である。
【００１９】
アノード電極ＡＤは薄膜トランジスタＮ11およびＰ11のゲート電極Ｇと共に容量素子Ｃ11の第１電極を覆う光透過性の絶縁層間膜上に形成される。薄膜トランジスタＮ11およびＰ11のソース電極Ｓおよびドレイン電極Ｇ、信号線Ｘ、電源線Ｖddはアノード電極ＡＤと共にこの層間膜上に形成される。薄膜トランジスタＮ11のソース電極Ｓおよびドレイン電極Ｄはこの層間膜およびゲート絶縁膜に形成される一対のコンタクトホールを介して薄膜トランジスタＮ11の半導体能動層に設けられるソースおよびドレインにそれぞれ接続され、薄膜トランジスタＰ11のソース電極Ｓおよびドレイン電極Ｄはこの層間膜およびゲート絶縁膜に形成される一対のコンタクトホールを介して薄膜トランジスタＰ11の半導体能動層に設けられるソースおよびドレインにそれぞれ接続される。信号線Ｘは薄膜トランジスタＮ11のソース電極Ｓと一体的に形成され、電源線Ｖddは容量素子Ｃ11の第２電極として容量素子Ｃ11の第１電極に層間膜を介して部分的に容量結合するようにして薄膜トランジスタＰ11のゲート電極Ｇと一体的に形成される。容量素子Ｃ11の第１電極は層間膜に形成されるコンタクトホールを介して薄膜トランジスタＮ11のドレイン電極Ｄに接続される。薄膜トランジスタＰ11のドレイン電極Ｄは有機ＥＬ素子OLEDのアノード電極ＡＤの一端を覆うようにして形成される。
【００２０】
信号線Ｘ、薄膜トランジスタＮ11およびＰ11のソース電極Ｓおよびドレイン電極Ｄ、電源線Ｖdd、およびアノード電極ＡＤは光透過性絶縁保護膜により全体的に覆われ、この保護膜はアノード電極ＡＤを露出するように開口され、アノード電極ＡＤの露出部および保護膜が親水膜により全体的に覆われ、さらにこの親水膜が隔壁膜で全体的に覆われる。親水膜および隔壁膜はアノード電極ＡＤを露出するように開口され。親水膜はアノード電極ＡＤと隔壁膜との間において傾斜面として露出する。有機ＥＬ素子OLEDのアノードバッファ層ＡＢおよび発光層ＥＭが有機積層膜としてこの開口内にインクジェット法により順番に重ねて形成され、さらにバリウム・アルミ合金が複数の有機ＥＬ素子OLEDのカソード電極ＣＤとして隔壁膜および発光層ＥＭを覆って連続的に形成される。
【００２１】
上述した有機ＥＬ素子OLEDの構成では、アノード電極ＡＤから注入されたホールとカソード電極ＣＤから注入された電子とが発光層ＥＭの内部で再結合したときに、発光層ＥＭを構成する有機分子を励起して励起子を発生させる。この励起子が放射失活する過程で発光し、この光が発光層ＥＭから光透過性を有するアノード電極ＡＤ、層間膜、ゲート絶縁膜、およびガラス基板１０を介して外部へ発射される。
【００２２】
上述した第１実施形態に係る有機ＥＬ表示装置では、赤，緑，および青用の有機ＥＬ素子OLEDが正方形のカラー画素部ＰＸＵ用領域の中心を取り囲む４象限のうちの３つに配置される。これら有機ＥＬ素子OLEDはインクジェット法で有機積層膜を形成する場合に適した縦横比およそ１対１となる形状とした場合でも、発光面積を増大させることが可能となる。従って、従来例のように正方形のカラー画素部用領域を行方向に３等分したストライプ状の領域にインクジェット法でこれら赤，緑，青用の有機ＥＬ素子OLEDをそれぞれ形成したときに列方向において有機ＥＬ素子OLEDの両側に残るような無駄なスペースを無くすことができる。さらに、３個の電流制御回路３を電流制御部として一箇所に集中させることができるため、配線や素子構造を共通化して得られる領域的な余裕を赤，緑，および青用の有機ＥＬ素子OLEDに均等に配分して全体的な発光面積を向上させることが可能である。また、有機ＥＬ素子OLEDの両側に残るような無駄なスペースに起因した発光面積の低下に伴う画像品質の劣化および素子寿命の劣化を防止することもできる。そして、有機ＥＬ表示装置の高精細化が実現できる。
【００２３】
以下、本発明の第２実施形態に係る有機ＥＬ表示装置について添付図面を参照して説明する。この有機ＥＬ表示装置は電流制御回路等の形成された基板と対向する側から外部に光を取り出す上面発光型の有機ＥＬパネルである。この有機ＥＬ表示装置の回路構造は図１に示す第１実施形態のものと等価である。
【００２４】
図４はこの有機ＥＬ表示装置のカラー画素部周辺の平面構造を示し、図５はこのカラー画素部に含まれる各表示画素の断面構造を示す。図４および図５では、第１実施形態と同様な部分を同一参照符号で示し、その説明を省略または簡素化する。
【００２５】
この上面発光方式を採用する場合には、図５に示すように、アノード電極ＡＤを保護膜を介して信号線や電源線ＶＤＤとは別層に配置する構造が有利である。すなわち、信号線等とは保護膜を介して別層にアノード電極を配置するため、アノード電極をガラス基板１０上に配置した電流制御回路等と重ねて配置することが可能となり、アノード電極の形成面積を増大させることができる。
【００２６】
図４に示すように、赤用の有機ＥＬ素子OLED（Ｒ），緑用の有機ＥＬ素子OLED（Ｇ），および青用の有機ＥＬ素子OLED（Ｂ）複数の信号線Ｘおよび走査線Ｙによって規定される正方形のカラー画素部ＰＸＵ用領域の中心を取り囲む４象限に配置される。すなわち、有機ＥＬ素子OLED（Ｒ）およびOLED（Ｇ）は走査線Ｙに平行な行方向において並ぶように第１および第２象限を占有し、有機ＥＬ素子OLED（Ｂ）は信号線Ｘi，Ｘi+1，Ｘi+2に平行な列方向において有機ＥＬ素子OLED（Ｇ）および有機ＥＬ素子OLED（Ｒ）とそれぞれ並ぶように第３象限および第４象限を占有する。第３象限および第４象限については、青用有機ＥＬ素子OLED（Ｂ）の有機積層膜を２等分した正方形の第１および第２部分によりそれぞれ占有される。ここで、電流制御部は上述したカラー画素部ＰＸＵ用領域の中心を取り囲む４象限に配置された有機ＥＬ素子OLED（Ｒ），OLED（Ｇ），OLED（Ｂ）の下方に配置される。
【００２７】
上述した第２実施形態に係る有機ＥＬ表示装置では、赤，緑，および青用の有機ＥＬ素子OLEDが正方形のカラー画素部ＰＸＵ用領域の中心を取り囲む４象限の全てに配置される。これら有機ＥＬ素子OLEDはインクジェット法で有機積層膜を形成する場合に適した縦横比１対１の形状とした場合にも、高い発光面積を増大させることができ、かつ高精細化を実現することが可能となる。従って、従来例のように正方形のカラー画素部用領域を行方向に３等分したストライプ状の領域にインクジェット法でこれら赤，緑，青用の有機ＥＬ素子OLEDをそれぞれ形成したときに列方向において有機ＥＬ素子OLEDの両側に残るような無駄なスペースを無くすことができる。さらに、３個の電流制御回路３を電流制御部としてこれら有機ＥＬ素子OLEDの下方に配置させることができるため、カラー画素部用領域を赤，緑，および青用の有機ＥＬ素子OLEDに配分して全体的な発光面積を向上させることが可能である。また、有機ＥＬ素子OLEDの両側に残るような無駄なスペースに起因した発光面積の低下に伴う画像品質の劣化および素子寿命の劣化を防止することもできる。
【００２８】
また、アノード電極と信号線、電源線ＶＤＤとを別層に配置する構造を採用した場合には、アノード電極の形成面積をさらに増大させることが可能となり、配置位置の自由度が大きくなる。
【００２９】
さらに、この実施形態では、青用有機ＥＬ素子OLED（Ｂ）が一定面積で略正方形に形成される１個以上の有機積層膜（発光層ＥＭおよびアノードバッファ層ＡＢ）に区分して第３象限および第４象限に配置され、この結果として赤用有機ＥＬ素子OLED（Ｒ）の有機積層膜および緑用有機ＥＬ素子OLED（Ｇ）の有機積層膜に対して２倍の面積に設定される。これにより、例えば有機ＥＬ素子OLED（Ｂ）の寿命が有機ＥＬ素子OLED（Ｒ）およびOLED（Ｇ）の半分であるような場合に有機ＥＬ素子OLED（Ｂ）に流れる電流密度を緩和して赤，緑および青用有機ＥＬ素子OLEDの寿命を均一化することが可能である。ちなみに、これらの面積比率は上述の値に特定されず、発光色間の寿命の差異に応じて調整されることが好ましい。
【００３０】
尚、本発明は上述の第１および第２実施形態に限定されず、その要旨を逸脱しない範囲で様々に変形可能である。
【００３１】
例えば図６のような閾値キャンセル回路を電流制御回路に付加し、薄膜トランジスタP11のしきい値電圧のバラツキをキャンセルさせることができる。この閾値キャンセル回路は薄膜トランジスタＮ11のドレインおよび薄膜トランジスタＰ11のゲート間に接続されるキャパシタＣＣ、薄膜トランジスタＰ11のドレイン電流を有機ＥＬ素子OLEDに出力する第１スイッチとして形成されるＰチャネル型薄膜トランジスタＰ22、薄膜トランジスタＰ11のゲート・ドレイン間の電位差をゼロにリセットする第２スイッチとして形成されるＰチャネル型薄膜トランジスタＰ21とを含む。このような閾値キャンセル回路回路を設けた場合には、薄膜トランジスタＰ11の閾値に依存せずに有機ＥＬ素子OLEDに流れる電流を正確に制御することが可能となる。
【００３２】
また、各実施形態では、有機ＥＬ素子OLEDのアノード電極ＡＤをＰチャネル型薄膜トランジスタＰ11のドレイン電極Ｄに接続し、カソード電極ＣＤを電源線Ｖddに接続する場合について説明したが、カソード電極ＣＤをＰチャネル型薄膜トランジスタＰ11のドレイン電極Ｄに接続しアノード電極ＡＤを電源線Ｖddに接続してもよい。ちなみに、本発明はこのような有機ＥＬ表示装置だけでなく、形状が略１：１となるような表示素子を有する表示装置に適用可能である。ここで、縦横比が１：１となるような表示素子とは、図７に示すように、実質的に発光に寄与する部分の平面形状が（ａ）円形、（ｂ）正多角形、（ｃ）多角形、（ｄ）正方形となるようなものを指す。ここでは、親水膜により露出されるアノード電極形状と一致する。
【００３３】
【発明の効果】
以上のように本発明によれば、インクジェット法で製造される場合でも大きな発光面積を得ることが可能な画像表示装置を提供することができる。
【図面の簡単な説明】
【図１】本発明の第１実施形態に係る有機ＥＬ表示装置の回路構成を示す図である。
【図２】図１に示すカラー画素部周辺の平面構造を示す図である。
【図３】図２に示すカラー画素部に含まれる各表示画素の断面構造を示す図である。
【図４】本発明の第２実施形態に係る有機ＥＬ表示装置のカラー画素部周辺の平面構造を示す図である。
【図５】図４に示すカラー画素部に含まれる各表示画素の断面構造を示す図である。
【図６】第１および第２実施形態の電流制御回路に付加可能な閾値キャンセル回路の例を示す図である。
【図７】第１および第２実施形態の有機ＥＬ素子において実質的に発光に寄与する部分の平面形状例を示す図である。
【図８】従来の有機ＥＬ表示装置において行方向に並ぶ赤，緑，青用の有機ＥＬ素子に割り当てられたストライプ領域の各々に形成される単一の発光層を示す図である。
【図９】従来の有機ＥＬ表示装置において行方向に並ぶ赤，緑，青用の有機ＥＬ素子に割り当てられたストライプ領域の各々に形成される２つの発光層を示す図である。
【符号の説明】
３…電流制御回路
Ｙ…走査線
Ｘ…信号線
ＰＸＵ…カラー画素部
OLED…有機ＥＬ素子
【図１】
0004198916.tif 000002
【図２】
0004198916.tif 000003
【図３】
0004198916.tif 000004
【図４】
0004198916.tif 000005
【図５】
0004198916.tif 000006
【図６】
0004198916.tif 000007
【図７】
0004198916.tif 000008
【図８】
0004198916.tif 000009
【図９】
0004198916.tif 000010